(57)【特許請求の範囲】
【請求項１】
被撮影者を撮影し、撮影画像を生成する撮影部と、
前記撮影画像から人物画像を切り抜き、前記人物画像とテンプレート画像とを合成した合成画像を生成する演算制御部と、
前記人物画像と前記テンプレート画像とを重ね合わせた画像をライブビューに表示する表示部と、
前記合成画像を印画紙にプリントして出力するプリンタと、
前記被撮影者に上方から定常光を照射する上側照明部と、
前記被撮影者に下方から定常光を照射する下側照明部と、
を備え、
前記表示部は、前記人物画像及び前記テンプレート画像を左右反転してライブビューに表示し、
前記演算制御部は、前記撮影部による被撮影者の撮影開始に伴い前記上側照明部の光量を増加させ、撮影中は前記上側照明部及び前記下側照明部の光量を一定に制御することを特徴とする印画物作製装置。
【請求項２】
前記表示部がライブビュー表示を所定時間行った後に、前記撮影部により静止画を取り込む撮影処理が行われ、
前記演算制御部が前記静止画から人物画像を切り抜き、前記テンプレート画像と合成して前記合成画像を生成し、前記表示部がこの合成画像を正方向に表示する画像確認画面を表示することを特徴とする請求項１に記載の印画物作製装置。
【請求項３】
前記テンプレート画像は、前景画像及び背景画像を含むことを特徴とする請求項１又は２に記載の印画物作製装置。
【請求項４】
前記テンプレート画像は、前記前景画像又は前記背景画像を複数含むことを特徴とする請求項３に記載の印画物作製装置。
【請求項５】
前記人物画像及び前記テンプレート画像は解像度が異なることを特徴とする請求項１乃至４のいずれかに記載の印画物作製装置。
【請求項６】
前記撮影処理の所定時間前に、前記表示部は、前記撮影部へ視線を誘導するマークをライブビュー画面に表示することを特徴とする請求項１乃至５のいずれかに記載の印画物作製装置。
【請求項７】
ユーザ端末がサーバ装置にアクセスして前記合成画像の画像データを取得するためのＵＲＬ情報を生成するＵＲＬ生成部と、
前記画像データ及び前記ＵＲＬ情報を前記サーバ装置へ送信する通信部と、
をさらに備え、
前記プリンタは、前記合成画像及び前記ＵＲＬ情報を印画紙にプリントすることを特徴とする請求項１乃至６のいずれかに記載の印画物作製装置。
【請求項８】
請求項７に記載の印画物作製装置と、
前記印画物作製装置から、前記画像データ及び前記ＵＲＬ情報を受信して保存し、ユーザ端末から前記印画紙に印画されたＵＲＬ情報に基づいてアクセスされると、前記画像データを前記ユーザ端末へ送信するサーバ装置と、
を備える画像データ提供システム。
【発明の詳細な説明】
【技術分野】
【０００１】
本発明は、印画物作製装置及び画像データ提供システムに関する。
【背景技術】
【０００２】
免許証、パスポート、履歴書等に貼付する証明写真を撮影するためのボックス型の写真撮影装置が知られている。写真撮影装置は、人物を撮影し、用途に応じた様々なサイズの写真をプリントして出力する。
【０００３】
また、クロマキー処理により、撮影画像から切り抜いた人物画像にテンプレート画像を合成してプリント出力する写真撮影装置が知られている。利用者は、あらかじめ準備されている様々なテンプレート画像から所望の画像を選択することができる。人物画像とテンプレート画像とを重ね合わせた画像をディスプレイにライブビューに表示することで、ユーザは撮影をより楽しむことができる。
【０００４】
人物画像及びテンプレート画像を正方向で（左右反転しないで）ディスプレイに表示する場合、撮影空間でユーザが移動する方向と、ユーザから見たライブビュー画面内のユーザ移動方向とが反対になるため、ライブビュー画面を見ながら位置合わせを行うことが困難であった。例えば、撮影空間でユーザが右方向に動くと、ライブビュー画面内ではユーザから見て左方向に動く。
【０００５】
テンプレート画像は正方向で表示しつつ、人物画像を左右反転して鏡面状態でディスプレイに表示することで、ユーザは鏡のように映る自分の姿を見ながら位置合わせを容易に行うことができるようになる。しかし、テンプレート画像と、左右反転した人物画像とを合成した画像をプリントすると、ユーザが着ている洋服のプリント文字等も反転して印字される。また、人物の表情には左右差があるため、鏡面状態のままプリントすると、実物とは異なった表情となり、違和感のある仕上がりになるという問題があった。
【先行技術文献】
【特許文献】
【０００６】
【特許文献１】特開２００５−１２４６４号公報
【発明の概要】
【発明が解決しようとする課題】
【０００７】
本発明は、上記従来の実状に鑑みてなされたものであり、ライブビュー画面を見ながらの位置合わせが行い易く、かつ違和感のない人物表情をプリントした印画物を作製できる印画物作製装置及び画像データ提供システムを提供することを課題とする。
【課題を解決するための手段】
【０００８】
本発明による印画物作製装置は、被撮影者を撮影し、撮影画像を生成する撮影部と、前記撮影画像から人物画像を切り抜き、前記人物画像とテンプレート画像とを合成した合成画像を生成する演算制御部と、前記人物画像と前記テンプレート画像とを重ね合わせた画像をライブビューに表示する表示部と、前記合成画像を印画紙にプリントして出力するプリンタと、を備え、前記表示部は、前記人物画像及び前記テンプレート画像を左右反転してライブビューに表示するものである。
【０００９】
本発明の一態様による印画物作製装置において、前記テンプレート画像は、前景画像及び背景画像を含む。
【００１０】
本発明の一態様による印画物作製装置において、前記テンプレート画像は、前記前景画像又は前記背景画像を複数含む。
【００１１】
本発明の一態様による印画物作製装置において、前記表示部がライブビュー表示を所定時間行った後に、前記撮影部により静止画を取り込む撮影処理が行われる。
【００１２】
本発明の一態様による印画物作製装置において、前記撮影処理の所定時間前に、前記表示部は、前記撮影部へ視線を誘導するマークをライブビュー画面に表示する。
【００１３】
本発明の一態様による印画物作製装置は、前記被撮影者に上方から定常光を照射する上側照明部と、前記被撮影者に下方から定常光を照射する下側照明部とをさらに備える。
【００１４】
本発明の一態様による印画物作製装置において、前記演算制御部は、前記撮影部による被撮影者の撮影開始に伴い前記上側照明部の光量を増加させ、撮影中は前記上側照明部及び前記下側照明部の光量を一定に制御する。
【００１５】
本発明の一態様による印画物作製装置は、ユーザ端末がサーバ装置にアクセスして前記合成画像の画像データを取得するためのＵＲＬ情報を生成するＵＲＬ生成部と、前記画像データ及び前記ＵＲＬ情報を前記サーバ装置へ送信する通信部と、をさらに備え、前記プリンタは、前記合成画像及び前記ＵＲＬ情報を印画紙にプリントする。
【００１６】
本発明による画像データ提供システムは、上記印画物作製装置と、前記印画物作製装置から、前記画像データ及び前記ＵＲＬ情報を受信して保存し、ユーザ端末から前記印画物に印画されたＵＲＬ情報に基づいてアクセスされると、前記画像データを前記ユーザ端末へ送信するサーバ装置と、を備えるものである。
【発明の効果】
【００１７】
本発明によれば、ライブビュー画面を見ながらの位置合わせが行い易く、かつ違和感のない人物表情をプリントした印画物を作製できる。
【図面の簡単な説明】
【００１８】
【図１】本発明の実施形態に係る画像データ提供システムの概略図である。
【図２】合成画像の構成を説明する図である。
【図３】印画物の例を示す図である。
【図４】同実施形態に係る印画物作製装置の筐体の斜視図である。
【図５】同実施形態に係る印画物作製装置のブロック構成図である。
【図６】演算制御装置のハードウェア構成を示す図である。
【図７】画像処理プログラムを実行することで実現される機能ブロック図である。
【図８】ライブビュー画像の構成を説明する図である。
【図９】ライブビュー画面を見ながら位置合わせを行っている状態を示す図である。
【図１０】同実施形態に係る印画物作製方法を説明するフローチャートである。
【図１１】ライブビュー画面の例を示す図である。
【図１２】撮影画像確認画面の例を示す図である。
【発明を実施するための形態】
【００１９】
図１は、本発明の実施形態に係る画像データ提供システムの構成図である。図１に示すように、画像データ提供システムは、ユーザを撮影して印画物３を作製する印画物作製装置１と、携帯端末６へ画像データを送信するサーバ装置２とを備える。
【００２０】
印画物作製装置１は、ユーザを撮影して撮影画像から人物画像を切り抜き、人物画像とテンプレート画像とを合成し、合成画像を生成する。印画物作製装置１は、ユーザが後で合成画像データをダウンロードするためのウェブページのＵＲＬを生成する。さらに、印画物作製装置１は、生成したＵＲＬをコード化処理し、二次元コードを作成する。
【００２１】
テンプレート画像は、前景画像及び背景画像を含む。例えば、印画物作製装置１は、図２に示すように、前景画像６０、人物画像６１及び背景画像６２を合成して合成画像を生成する。そして、図３に示すように、合成画像４及び二次元コード５を印画紙に印画して、印画物３を作製する。テンプレート画像は、例えば、雑誌のカバーデザインや、新聞の一面のようなものである。これにより、ユーザ自身が雑誌の表紙モデルになったような写真を作製できる。
【００２２】
印画物作製装置１は、合成画像４の画像データ及びＵＲＬ情報をサーバ装置２へ送信する。サーバ装置２は、画像データ及びＵＲＬ情報を紐付けて保存する。
【００２３】
ユーザは、スマートフォンやタブレット機器等の携帯端末６を有しており、この携帯端末６には、二次元コードを読み取るプログラム（二次元コード読取アプリ）が記憶されている。携帯端末６がこのプログラムを実行すると、二次元コードを読み取るために携帯端末６のカメラ機能が起動する。ユーザが携帯端末６のカメラで印画物３上の二次元コード５を撮影すると、携帯端末６は二次元コード５を読み取ってＵＲＬを取得し、サーバ装置２にアクセスする。
【００２４】
サーバ装置２は、携帯端末６からアクセスされると、携帯端末６がアクセスしてきた際のＵＲＬに対応する画像データを携帯端末６へ送信する。携帯端末６は、画像データをメモリに保存する。
【００２５】
このように、本実施形態による画像データ提供システムによれば、ユーザは、人物画像とテンプレート画像とを合成した合成画像が印画された印画物３を入手できる。また、印画物３に印画された二次元コード５を用いてサーバ装置２にアクセスし、印画物３に印画された合成画像の画像データを入手することができる。
【００２６】
次に、印画物作製装置１の構成について説明する。図１に示すように、印画物作製装置１は、筐体１ａ、天井部１ｂ、背景パネル１ｃ、及びカーテン１ｄを備え、ユーザを撮影し、撮影画像から人物画像を切り抜き、人物画像とテンプレート画像とを合成した合成画像を印画紙にプリントして、印画物を作製するものである。
【００２７】
背景パネル１ｃは、筐体１ａの正面と対向して設置され、筐体１ａと背景パネル１ｃとの間の空間が撮影空間となる。背景パネル１ｃのうち、ユーザの背中側に位置する壁紙の色は、クロマキー合成に適した色、例えば緑色や青色になっている。撮影空間に出入りするための出入口にカーテン１ｄが取り付けられ、撮影を行う際に外部からの光を遮断するようになっている。
【００２８】
図４は筐体１ａの斜視図である。図５は、印画物作製装置１のブロック構成図である。図４に示すように、筐体１ａ上部の正面は、下部の正面よりも（撮影空間とは反対側に）後退している。筐体上部にはタッチパネル１２が設けられている。タッチパネル１２は、操作ボタンを表示してユーザからの指示受付部として機能すると共に、ライブビュー画面等を表示する表示部として機能する。また、タッチパネル１２の上方に、撮影窓１５を介して撮影装置１１（図５参照）が設けられている。
【００２９】
撮影窓１５は、撮影空間内で立っているユーザの顔の高さに対応する位置に設けられている。撮影窓１５は、筐体１ａの壁面に開口部を設け、この開口部にハーフミラーガラス又は透明ガラスを嵌め込むことにより形成される。ハーフミラーガラスは、撮影空間からの光を筐体内へ透過するが、筐体内からの光は撮影空間へほとんど透過しないように構成されている。そのため、撮影空間側から、撮影装置１１を視認し難くなっている。一方、透明ガラスを嵌め込む場合は、撮影装置１１のレンズが見えるようになり、ユーザの視線をレンズに向けさせ易くなる。
【００３０】
撮影装置１１は、例えばデジタルカメラであり、レンズ、シャッタ、ＣＭＯＳセンサ、Ａ／Ｄ変換器等を有する。撮影装置１１がユーザを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。
【００３１】
筐体上部の正面側において、タッチパネル１２及び撮影窓１５が設けられている箇所は、それ以外の箇所よりも後退している。タッチパネル１２は、やや上向きの傾斜面に設けられている。
【００３２】
タッチパネル１２の側部には、紙幣受入口１４ａ、硬貨投入口１４ｂ、及び釣銭出金口１４ｃを含む課金部１４が設けられている。
【００３３】
筐体上部には、撮影窓１５よりも上方に、撮影空間に光を照射する上側照明部２０が設けられている。上側照明部２０は定常光を発光する照明手段であり、複数のＬＥＤ電球（図示略）と、ＬＥＤ電球を覆う拡散板２２とを有する。ＬＥＤ電球からの光は、拡散板２２により拡散されて撮影空間に照射される。
【００３４】
筐体下部の正面（撮影空間に対向する面）の左右両側に、撮影空間に光を照射する下側照明部３０、４０が設けられている。下側照明部３０、４０は定常光を発光する照明手段であり、例えば複数のＬＥＤ電球（図示略）と、ＬＥＤ電球を覆う拡散板３２、４２とを有する。ＬＥＤ電球からの光は、拡散板３２、４２により拡散されて撮影空間に照射される。
【００３５】
筐体下部にはプリンタ１３（図５参照）が収容されている。プリンタ１３は、昇華型又はインクジェット型などの高解像度カラープリンタである。下側照明部３０と下側照明部４０との間には、開閉扉１８が開閉自在に設けられている。開閉扉１８を開けると、プリンタ１３がプリント出力した印画物を取り出せるようになっている。
【００３６】
また、図示は省略するが、筐体１ａには、撮影空間内にユーザが入ってきたことを検知する入室センサや、音声を出力するスピーカ等が設けられている。
【００３７】
図５に示すように、筐体１ａの内部にはコンピュータ等からなる演算制御装置１０及び通信部１６がさらに設けられている。演算制御装置１０は、撮影装置１１、タッチパネル１２、プリンタ１３、課金部１４、照明部２０，３０，４０、及び通信部１６に接続されており、各部の制御やデータの受け渡しを行う。例えば、演算制御装置１０は、照明部２０、３０、４０のＬＥＤ電球のオンオフを個別に制御し、光量を調整することができる。
【００３８】
図６に、演算制御装置１０のハードウェア構成を示す。演算制御装置１０は、ＣＰＵ（中央演算処理部）５１、メインメモリ５２、ディスク装置５３、及び入出力部５４を有する。演算制御装置１０の各部はバスを介して接続されている。
【００３９】
ディスク装置５３は、制御プログラム、画像処理プログラム、及びテンプレートデータを記憶する。
【００４０】
ＣＰＵ５１がメインメモリ５２にロードされた制御プログラムを実行することで、印画物作製装置１の各部を制御する制御部として機能する。
【００４１】
ＣＰＵ５１がメインメモリ５２にロードされた画像処理プログラムを実行することで、図７に示すように、テンプレート選択部７１、クロマキー処理部７２、ＵＲＬ生成部７３、コード化処理部７４、プリント画像生成部７５、及び通信処理部７６が実現され、印画物３の作製及びサーバ装置２との通信が行えるようになる。
【００４２】
テンプレート選択部７１は、ディスク装置５３に記憶されているテンプレートデータをタッチパネル１２に表示し、ユーザから、使用するテンプレート画像の選択を受け付ける。テンプレート画像は、前景画像及び背景画像を含む。
【００４３】
クロマキー処理部７２は、撮影装置１１による撮影画像内の人物（ユーザ）と背景色（壁紙色）との色差を判別し、撮影画像から人物画像を切り抜く。ここで判別される色差とは、色相差、彩度差、又は色相差及び彩度差の組み合わせである。また、クロマキー処理部７２は、人物画像と、選択されたテンプレート画像とを合成して合成画像を生成する。
【００４４】
ＵＲＬ生成部７３は、合成画像データをダウンロードするためのウェブページのＵＲＬを生成する。ＵＲＬ生成部７３は、合成画像毎に（印画物３毎に）一意のＵＲＬを生成する。例えば、ＵＲＬ生成部７３は、印画物作製装置１の筐体番号や撮影時刻等を用いてＵＲＬの末尾複数桁の文字列を変えて、一意の（各画像データ固有の）ＵＲＬを生成する。
【００４５】
コード化処理部７４は、ＵＲＬ生成部７３が生成したＵＲＬをコード化処理し、二次元コードを生成する。
【００４６】
プリント画像生成部７５は、合成画像及び二次元コードを配置したプリント画像を生成する。プリント画像は、入出力部５４を介してプリンタ１３へ転送される。
【００４７】
通信処理部７６は、合成画像データ、及びＵＲＬ生成部７３が生成したＵＲＬを、通信部１６を用いてサーバ装置２に送信する。
【００４８】
印画物作製装置１のタッチパネル１２は、操作ボタンを表示し、操作ボタンが押されると、その操作ボタンに対応した操作指示を受け付ける。また、タッチパネル１２は、図８に示すように、撮影画像から切り抜かれた人物画像８０、前景画像６０、及び背景画像６２を左右反転し、重ね合わせて表示する。タッチパネル１２に重ね合わせて表示される人物画像８０、前景画像６０、及び背景画像６２の解像度は、全て同じであってもよいし、互いに異なっていてもよい。
【００４９】
クロマキー処理部７２は、撮影装置１１によって撮影された画像からの人物画像の切り抜き処理を高速に行い、図８に示す人物画像８０が高速に切り替わる。これにより、タッチパネル１２は、撮影装置１１によって撮影されたユーザの映像を左右反転させ、左右反転させたテンプレート画像（前景画像６０及び背景画像６２）と共にリアルタイムにライブ表示することができる。
【００５０】
従って、ユーザは、図９に示すように、タッチパネル１２のライブビュー画面に鏡のように映る自身の姿を見ながら、位置合わせを行うことができる。撮影空間でユーザが移動する方向と、ライブビュー画面内のユーザが移動する方向とが同じであるため、ライブビュー画面を見ながら容易に位置合わせを行うことができる。例えば、撮影空間でユーザが右方向に動くと、ライブビュー画面内でもユーザから見て右方向に動く。
【００５１】
次に、図１０に示すフローチャートを用いて、印画物作製装置１による印画物作製方法を説明する。印画物作製装置１の待機時、演算制御装置１０は、上側照明部２０のＬＥＤ電球の一部を点灯させ、下側照明部３０、４０は消灯する。これにより、印画物作製装置１が稼働中であることを示すと共に、待機中の消費電力を抑えることができる。
【００５２】
入室センサが、撮影空間内にユーザが入ってきたことを検知すると、演算制御装置１０は下側照明部３０、４０をさらに点灯させる。そして、演算制御装置１０は、タッチパネル１２及びスピーカ（図示略）によるガイダンスを開始する。
【００５３】
印画物作製装置１は、タッチパネル１２に選択可能な複数のテンプレート画像を表示する。ユーザは、表示されたテンプレート画像から、所望のテンプレート画像を選択する（ステップＳ１）。テンプレート画像は、前景画像及び背景画像を含む。予め前景画像と背景画像とを組み合わせておき、ユーザがいずれかの組み合わせを選択する。あるいはまた、ユーザが、前景画像と背景画像とを個別に選択してもよい。
【００５４】
テンプレート画像の選択後、タッチパネル１２に課金画面が表示される（ステップＳ２）。課金処理後、撮影装置１１がユーザの撮影を開始する。
【００５５】
撮影装置１１による撮影開始に伴い、演算制御装置１０は、上側照明部２０のＬＥＤ電球の点灯数を増やし、光量を増加させる。ＬＥＤ電球の点灯数は、撮影空間の広さや、撮影装置１１の撮影条件（ＩＳＯ感度、絞り、シャッタースピード等）に応じて決定することが好ましい。
【００５６】
撮影装置１１は、撮影画像データ（映像）を演算制御装置１０へ出力する。クロマキー処理部７２は、クロマキー処理を行い、撮影画像内の人物（ユーザ）と背景色（壁紙色）との色差を判別し、撮影画像から人物画像を切り抜く。
【００５７】
タッチパネル１２が、撮影画像から切り抜かれた人物画像と、ユーザにより選択されたテンプレート画像とを左右反転し、重ね合わせて表示する。人物画像の切り抜きを連続的に行うことで、人物画像にテンプレート画像を合成したような画像の左右反転画像がライブビュー表示される。
【００５８】
ライブビュー表示は所定時間、例えば１５秒程度行われる。その間、図９に示すように、ユーザは、ライブビュー画面を見ながら、ポーズの確認や、位置合わせを行う（ステップＳ３）。所定時間経過後、撮影処理を行い、撮影装置１１が撮影しているライブ映像を画像（静止画）として取り込む（ステップＳ４）。
【００５９】
なお、撮影処理の前、例えば撮影処理の２秒程度前になったら、図１１に示すように、タッチパネル１２のライブビュー画面に、撮影装置１１を見るような視線誘導マーク９０を表示することが好ましい。撮影装置１１は、タッチパネル１２の上方に設けられているため、図１１に示す例では、視線誘導マーク９０が上向き矢印になっている。上向き矢印マーク９０が上方に移動するように表示することで、ユーザの視線を撮影装置１１に向けることができる。
【００６０】
撮影処理後、クロマキー処理部７２が、撮影画像から人物画像を切り抜き、テンプレート画像と合成して合成画像を生成する。タッチパネル１２が、図１２に示すような画像確認画面を表示する。画像確認画面で表示される合成画像９２は、人物画像及びテンプレート画像が左右反転していない正方向のものであり、実際に印画紙にプリントされる画像である。
【００６１】
ユーザは、合成画像９２を確認し、撮り直す場合は撮り直しボタン９４を押す（ステップＳ５＿Ｎｏ）。撮り直し回数には上限が設定されていることが好ましい。
【００６２】
ユーザが承認ボタン９６を押すと（ステップＳ５＿Ｙｅｓ）、ＵＲＬ生成部７３が、画像データダウンロード用のユニークなＵＲＬを生成する。そして、コード化処理部７４が、生成されたＵＲＬをコード化処理して二次元コードを生成する（ステップＳ６）。
【００６３】
プリント画像生成部７５が、合成画像及び二次元コードを配置したプリント画像を生成する（ステップＳ７）。プリンタ１３が、プリント画像を印画紙に印画して印画物３を作製する（ステップＳ８）。ユーザは、開閉扉１８を開けて印画物３を取得できる。
【００６４】
通信処理部７６が、通信部１６を介して、合成画像データ及びＵＲＬ情報をサーバ装置２へ送信する（ステップＳ９）。これにより、ユーザが、携帯端末６の二次元コード読取機能を用いて、印画物３に印画された二次元コード５を読み取り、サーバ装置２にアクセスすると、合成画像の画像データをダウンロードできるようになる。
【００６５】
本実施形態によれば、撮影前のライブビュー画面で、テンプレート画像及び人物画像を左右反転して表示する。ライブビュー画面にはユーザの姿が鏡のように写り、撮影空間でユーザが移動する方向と、ユーザから見たライブビュー画面内でのユーザ移動方向とが同じになる。そのため、ライブビュー画面を見ながら、テンプレート画像に対する自身の位置合わせを容易に行うことができる。
【００６６】
また、印画物３ではテンプレート画像及び人物画像が正方向となるため、違和感のない人物表情をプリントすることができる。
【００６７】
また、本実施形態によれば、上側照明部２０によりユーザの上側から光を照射し、下側照明部３０、４０によりユーザの下側から光を照射する。ユーザに対し上下から光を照射するため、背景パネル１ｃの壁紙に影が生じることを防止でき、クロマキー処理において撮影画像から人物画像を精度良く切り抜くことができる。
【００６８】
上側照明部２０及び下側照明部３０、４０は定常光を照射するため、タッチパネル１２に画像をライブビュー表示している間、ユーザに一定の光量の光が照射される。ライブビュー表示のために撮影画像から人物画像を切り抜く処理が連続的に行われるが、一定の光量の光が継続して照射されているため、人物画像の切り抜き処理を精度良く行うことができる。
【００６９】
演算制御装置１０が、合成画像に対しフィルタ処理を施せるようにしてもよい。フィルタ処理は、カラー画像をモノクロやセピア調に変換するものである。例えば、図１０のステップＳ５においてユーザが画像を承認した後、写真の仕上がりを、カラー、セピア、モノクロのいずれにするかの選択画面を表示する。ユーザの選択に応じて、合成画像に対しフィルタ処理が施される。
【００７０】
図１０のステップＳ５においてユーザが画像を承認した後、背景画像を変更できるようにしてもよい。また、追加料金の投入により、印画物３の追加プリント（焼き増し）が行えるようにしてもよい。
【００７１】
上記実施形態では、人物画像に合成するテンプレート画像は、前景画像及び背景画像が１枚ずつとなっていたが、複数枚であってもよい。ユーザが、複数の前景画像、複数の背景画像を１枚ずつ選択すると共に、合成する際の重なり順を指定できるようにしてもよい。
【００７２】
図１０のステップＳ４において、連続で複数回撮影し、１枚の印画物３に複数コマの画像を印画してもよい。
【００７３】
上記実施形態では、印画物３に合成画像４及び二次元コード５が一緒に印画される例について説明したが、二次元コード５は合成画像４とは別の印画紙に印画してもよい。
【００７４】
上記実施形態では、印画物作製装置１はタッチパネル１２を備えていたが、タッチ機能のないディスプレイと、マウスやボタン等の入力部とを備えた構成としてもよい。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７６】
１  印画物作製装置
２  サーバ装置
３  印画物
４  合成画像
５  二次元コード
６  携帯端末
１０  演算制御装置
１１  撮影装置
１２  タッチパネル
１３  プリンタ
１４  課金部
１５  撮影窓
１６  通信部
１８  開閉扉
２０  上側照明部
３０、４０  下側照明部
【図１】
0006786899.tif 000002
【図２】
0006786899.tif 000003
【図３】
0006786899.tif 000004
【図４】
0006786899.tif 000005
【図５】
0006786899.tif 000006
【図６】
0006786899.tif 000007
【図７】
0006786899.tif 000008
【図８】
0006786899.tif 000009
【図９】
0006786899.tif 000010
【図１０】
0006786899.tif 000011
【図１１】
0006786899.tif 000012
【図１２】
0006786899.tif 000013